(57)【要約】      （修正有）【課題】施工性及びメンテナンス性に優れた防煙垂れ壁を提供する。【解決手段】防煙垂れ壁の枠体の縦枠を、枠体の上枠の長さ方向に移動可能に吊持させること、パネルの上方部位を、上枠内部に下方から上方に向かって挿入して、プレート（掛止部）１１１を上面（被係止部）２５１、２６１に掛止させることで、パネルを上枠に吊持させること、パネルの幅方向両端部位をそれぞれ縦枠の溝部内に挿入させること、縦枠の下端部間に、パネルの下方部位を覆うように下枠を設けること、を備えた、防煙垂れ壁の設置方法。【選択図】図１６
2019005295.tif 000002
【特許請求の範囲】
【請求項１】
上枠と、少なくとも２本の縦枠と、下枠とからなる枠体と、前記枠体に組み込まれたパネルとからなる防煙垂れ壁において、
前記上枠は下方が開口状で、内部には当該上枠の長さ方向に延びるレール及び被掛止部を備えており、
前記縦枠は側方が開口状の溝部を備えており、当該縦枠の上方部位には、前記レール上を摺動可能な支持部材が設けてあり、
前記パネルの上方部位には、前記被掛止部に掛止する掛止部を備えた吊持部材が設けてあり、
前記縦枠は、前記支持部材を介して前記レールから吊持されており、
前記パネルは、前記吊持部材を介して前記上枠に対して上下方向に着脱可能に当該上枠から吊持されており、
前記枠体の上枠内部には、前記パネルの上方部位が挿入されており、前記枠体の縦枠の溝部には、前記パネルの幅方向両端部位が挿入されており、
前記下枠は、前記パネルの下端部位を覆うように、前記縦枠の下端部間に設けてある、
防煙垂れ壁。
【請求項２】
前記吊持部材は、前記掛止部が掛止姿勢にある第１姿勢と前記掛止部が非掛止姿勢にある第２姿勢との間で変態可能であり、
前記パネルは、前記吊持部材を第１姿勢とすることで、前記掛止部が前記被掛止部に掛止して前記上枠から吊持され、前記吊持部材を第２姿勢とすることで、前記上枠内部を上下方向に移動可能である、
請求項１に記載の防煙垂れ壁。
【請求項３】
前記上枠内部には、当該上枠の長さ方向に延びる第１水平片と、前記第１水平片の上側に位置して当該上枠の長さ方向に延びる第２水平片が形成されており、
前記第１水平片と前記第２水平片との間に前記レールが形成され、
前記第２水平片の上面が前記被掛止部となっている、
請求項１、２いずれか１項に記載の防煙垂れ壁。
【請求項４】
前記パネルは四周枠と、前記四周枠の一方の見付面に取り付けられたシートとを備えており、
前記下枠の底面と、前記四周枠の下面は離間対向しており、前記底面と前記下面間には螺子が設けてあり、
前記螺子の回転によって前記下面を前記底面に引き付けることで、前記シートを上下方向に張るように構成されている、
請求項１〜３いずれか１項に記載の防煙垂れ壁。
【請求項５】
上枠と、少なくとも２本の縦枠と、下枠とからなる枠体と、前記枠体に組み込まれたパネルとからなる防煙垂れ壁の設置方法において、
前記上枠は下方が開口状で、内部には当該上枠の長さ方向に延びるレール及び被掛止部を備えており、
前記縦枠は側方が開口状の溝部を備えており、当該縦枠の上方部位には、前記レール上を摺動可能な支持部材が設けてあり、
前記パネルの上方部位には、前記被掛止部に掛止する掛止部を備えた吊持部材が設けてあり、
前記縦枠を、当該上枠の長さ方向に移動可能に吊持させること、
前記パネルの上方部位を、前記上枠内部に下方から上方に向かって挿入して、前記掛止部を前記被係止部に掛止させることで、前記パネルを前記上枠に吊持させること、
前記パネルの幅方向両端部位をそれぞれ前記縦枠の溝部内に挿入させること、
前記縦枠の下端部間に、前記パネルの下方部位を覆うように前記下枠を設けること、
を備えた、防煙垂れ壁の設置方法。
【請求項６】
前記吊持部材は、前記掛止部が掛止姿勢にある第１姿勢と前記掛止部が非掛止姿勢にある第２姿勢との間で変態可能であり、
前記パネルを、前記吊持部材を第２姿勢として、前記上枠内部に下方から上方に向かって挿入し、前記吊持部材を第１姿勢とすることで、前記掛止部を前記被掛止部に掛止させる、
請求項５に記載の防煙垂れ壁の設置方法。
【発明の詳細な説明】
【技術分野】
【０００１】
本発明は、防煙垂れ壁及び防煙垂れ壁の設置方法に関するものである。
【背景技術】
【０００２】
防煙垂れ壁は、建物内部の上方部位に設置することで、室内空間の上方部位に防煙区画を形成し、火災時等における煙の拡散や流動を防ぐ装置である。
【０００３】
このような防煙垂れ壁は、特許文献１〜４に記載されている。特許文献１、２には、可撓性シートを備えたパネルを用いた防煙垂れ壁が提案されているが、これらは、可撓性シートに発生し得る皺や撓みを解消することを主目的としている。
【０００４】
防煙垂れ壁は、天井高が大きい空間の天井面に設置されるため、その設置作業は高所作業となるため、施工性及びメンテナンス性が良いことが望ましい。
【特許文献１】特許第６０６１２９２号
【特許文献２】特開２０１６−７７３１１号
【特許文献３】特開２０１６−２２１０８８号
【特許文献４】特開２０１３−２２０１４０号
【発明の開示】
【発明が解決しようとする課題】
【０００５】
本発明は、施工性及びメンテナンス性に優れた防煙垂れ壁及び防煙垂れ壁の設置方法を提供することを目的とする。
【課題を解決するための手段】
【０００６】
かかる課題を解決するべく本発明が採用した技術手段は、
上枠と、少なくとも２本の縦枠と、下枠とからなる枠体と、前記枠体に組み込まれたパネルとからなる防煙垂れ壁において、
前記上枠は下方が開口状で、内部には当該上枠の長さ方向に延びるレール及び被掛止部を備えており、
前記縦枠は側方が開口状の溝部を備えており、当該縦枠の上方部位には、前記レール上を摺動可能な支持部材が設けてあり、
前記パネルの上方部位には、前記被掛止部に掛止する掛止部を備えた吊持部材が設けてあり、
前記縦枠は、前記支持部材を介して前記レールから吊持されており、
前記パネルは、前記吊持部材を介して前記上枠に対して上下方向に着脱可能に当該上枠から吊持されており、
前記枠体の上枠内部には、前記パネルの上方部位が挿入されており、前記枠体の縦枠の溝部には、前記パネルの幅方向両端部位が挿入されており、
前記下枠は、前記パネルの下端部位を覆うように、前記縦枠の下端部間に設けてある、
防煙垂れ壁、である。
１つの態様では、前記少なくとも２本の縦枠は、２本の端部縦枠と、１本以上の中間縦枠であり、防煙垂れ壁は少なくとも２枚以上のパネルを備えており、前記下枠は、隣り合う縦枠の下端部間で各パネルに対応して設けられる。
【０００７】
１つの態様では、前記吊持部材は、前記掛止部が掛止姿勢にある第１姿勢と前記掛止部が非掛止姿勢にある第２姿勢との間で変態可能であり、
前記パネルは、前記吊持部材を第１姿勢とすることで、前記掛止部が前記被掛止部に掛止して前記上枠から吊持され、前記吊持部材を第２姿勢とすることで、前記上枠内部を上下方向に移動可能である。
防煙垂れ壁がこのような構成を備えることで、
上枠から吊持された任意のパネルの下方の下枠を取り外すこと、
上枠から吊持された任意のパネルの吊持部材を第１姿勢から第２姿勢として、当該パネルを、前記上枠内部を上方から下方に向かって移動させて取り外すこと、
交換したパネルあるいは修理したパネルを、吊持部材を第２姿勢として、前記上枠内部に下方から上方に向かって挿入し、前記吊持部材を第１姿勢とすることで、前記掛止部を前記被掛止部に掛止させることで、前記パネルを前記上枠に吊持させる、
という防煙垂れ壁のメンテナンス方法（パネルの脱着方法）を提供することができる。
１つの態様では、前記吊持部材は、前記パネルの幅方向両端部（パネル上枠の長さ方向端部）を除く部位に設けてある。
１つの態様では、前記パネルは四周枠と、前記四周枠の一方の見付面に取り付けられたシートとを備えている。
１つの態様では、前記吊持部材は、第１姿勢と第２姿勢の間で回転可能であり、パネル上枠の下方に位置して、前記四周枠の他方の見付面側から操作可能な回転操作部と、を備えている。
１つの態様では、前記回転操作部は、前記パネルが前記枠体に組み込まれた状態で、前記枠体の上枠内に位置している。
【０００８】
１つの態様では、前記上枠内部には、当該上枠の長さ方向に延びる第１水平片と、前記第１水平片の上側に位置して当該上枠の長さ方向に延びる第２水平片が形成されており、
前記第１水平片と前記第２水平片との間に前記レールが形成され、
前記第２水平片の上面が前記被掛止部となっている。
１つの態様では、前記レール及び前記被掛止部は前記上枠の全長に亘って延びている。
なお、前記被掛止部は、前記上枠の長さ方向の一部に亘って延びるものでもよい。
１つの態様では、前記掛止部は、平面視において長手方向と短手方向とを備え、
前記掛止部の長手方向がパネル見付方向に一致する時に前記吊持部材は第２姿勢にあり、
前記掛止部の短手方向がパネル見付方向に一致する時に前記吊持部材は第１姿勢にある。
１つの態様では、上枠内部には、一対の第１水平片、一対の第２水平片が形成され、前記一対の第１水平片間、前記一対の第２水平片間にはそれぞれ上枠の長さ方向に延びる開口が形成されており、これらの開口の幅寸法は、前記掛止部の長手方向の寸法よりも小さく、前記掛止部の短手方向の寸法よりも大きい。
１つの態様では、前記支持部材は、前記縦枠の見込方向に延びる円筒状部材ないし円柱状部材、いわゆるコロである。
１つの態様では、各縦枠の上方部位には、複数本（例えば２本）の支持部材が当該縦枠の見付方向に平行状に設けてある。
【０００９】
１つの態様では、前記パネルは四周枠と、前記四周枠の一方の見付面に取り付けられたシートとを備えており、
前記下枠の底面と、前記四周枠の下面は離間対向しており、前記底面と前記下面間には螺子が設けてあり、
前記螺子の回転によって前記下面を前記底面に引き付けることで、前記シートを上下方向に張るように構成されている。
防煙垂れ壁がこのような構成を備えることで、前記螺子の回転によって前記下面を前記底面に引き付けることで、前記シートを上下方向に張るという防煙垂れ壁のメンテナンス方法（シート張り調整方法ないしシートの弛み解消方法）を提供することができる。
ここで、各縦枠の上端部位に、当該縦枠の見込方向に延びる複数本の支持部材を、当該縦枠の見付方向に平行状に設けることで、シート張り調整時において、上枠に対する縦枠の傾きないし倒れを抑えることができる。
【００１０】
本発明はまた、上枠と、少なくとも２本の縦枠と、下枠とからなる枠体と、前記枠体に組み込まれたパネルとからなる防煙垂れ壁の設置方法を提供するものであり、
前記上枠は下方が開口状で、内部には当該上枠の長さ方向に延びるレール及び被掛止部を備えており、
前記縦枠は側方が開口状の溝部を備えており、当該縦枠の上方部位には、前記レール上を摺動可能な支持部材が設けてあり、
前記パネルの上方部位には、前記被掛止部に掛止する掛止部を備えた吊持部材が設けてあり、
前記方法は、
前記縦枠を、当該上枠の長さ方向に移動可能に吊持させること、
前記パネルの上方部位を、前記上枠内部に下方から上方に向かって挿入して、前記掛止部を前記被係止部に掛止させることで、前記パネルを前記上枠に吊持させること、
前記パネルの幅方向両端部位をそれぞれ前記縦枠の溝部内に挿入させること、
前記縦枠の下端部間に、前記パネルの下方部位を覆うように前記下枠を設けること、
を備えている。
【００１１】
１つの態様では、前記吊持部材は、前記掛止部が掛止姿勢にある第１姿勢と前記掛止部が非掛止姿勢にある第２姿勢との間で変態可能であり、
前記パネルを、前記吊持部材を第２姿勢として、前記上枠内部に下方から上方に向かって挿入し、前記吊持部材を第１姿勢とすることで、前記掛止部を前記被掛止部に掛止させる。
【００１２】
１つの態様では、前記パネルは上枠、下枠、左右の縦枠からなる四周枠と、前記四周枠の一方の見付面に取り付けられたシートとを備え、
前記上枠の長さ方向端部を除く部位には吊持部材が設けてあり、
前記吊持部材は、当該パネル上枠の上方に位置して、防煙垂れ壁の枠体の上枠に掛止可能な掛止部と、当該パネル上枠の下方に位置して、前記四周枠の他方の見付面側から操作可能な回転操作部と、を備えており、
前記吊持部材は、前記掛止部が掛止姿勢にある第１姿勢と前記掛止部が非掛止姿勢にある第２姿勢との間で回転可能であり、当該パネルは、前記吊持部材の第２姿勢時に前記枠体の上枠の内部に下方から上方に向かって挿入可能である。
１つの態様では、前記上枠の長さ方向端部を除く部位には、長さ方向に間隔を存して複数の吊持部材が設けてある。
１つの態様では、前記吊持部材は垂直方向に延び、前記上枠を上下に貫設する軸部を備え、前記軸部の上側には掛止部が設けてあり、前記軸部の下側には回転操作部が設けてある。
１つの態様では、前記回転操作部は、前記軸部よりも大径の頭部である。
１つの態様では、前記回転操作部は、前記パネルが前記枠体に組み込まれた状態で、前記枠体の上枠内に位置している。
１つの態様では、前記パネル上枠は、上面、下面を備え、前記掛止部が防煙垂れ壁の枠体の上枠に掛止している時に、前記回転操作部が前記下面に当接ないし近接している。
【発明の効果】
【００１３】
本発明に係る防煙垂れ壁において、防煙用垂れ壁の枠体の上枠に対して下方から上方に向かって挿入することでパネルを取り付けることができ、上方から下方に向かって引き下ろすことでパネルを取り外すことができ、施工性、メンテナンス性に優れる。
【図面の簡単な説明】
【００１４】
【図１】天井面に取り付けられた防煙垂れ壁（４枚のパネルが組み込まれたもの）の正面図である。
【図２】防煙垂れ壁（３枚のパネルが組み込まれたもの）の正面図である。
【図３】防煙垂れ壁の斜視図であり、防煙垂れ壁の組み立てを説明する図である。
【図４】パネルの正面図である。
【図５】パネルの縦断面図である。
【図６】パネルの斜視図であり、パネルの組み立てを説明する図である。
【図７】（Ａ）は枠体の上枠の断面図、（Ｂ）は枠体の上枠を下方から見た底面図である。
【図８】（Ａ）は枠体の端部縦枠の正面図、（Ｂ）は枠体の端部縦枠の側面図、（Ｃ）は端部縦枠（コロが装着された状態）の平面図、（Ｄ）は端部縦枠の断面図である。
【図９】（Ａ）は枠体の中間縦枠の正面図、（Ｂ）は枠体の中間縦枠（コロが装着された状態）の平面図、（Ｃ）は中間縦枠の断面図である。
【図１０】（Ａ）は枠体の下枠の断面図、（Ｂ）は枠体の下枠の正面図、（Ｃ）は枠体の下枠を下方から見た底面図である。
【図１１】（Ａ）はパネルの上枠の断面図、（Ｂ）はパネルの上枠の平面図、（Ｃ）はパネルの上枠の正面図である。
【図１２】（Ａ）はパネルの縦枠の正面図、（Ｂ）はパネルの縦枠の断面図である。
【図１３】防煙垂れ壁の上方部位の部分縦断面図であり、上枠に対する縦枠（端部縦枠、中間縦枠）の吊持状態を説明する図である。
【図１４】防煙垂れ壁の上方部位（中間縦枠）の部分正面図であり、上枠に対する中間縦枠の吊持状態を説明する図である。
【図１５】防煙垂れ壁の上方部位の部分縦断面図であり、上枠に対するパネルの吊持状態を説明する図である。
【図１６】防煙垂れ壁の上方部位の部分正面図及び部分縦断面図であり、上枠に対するパネルの吊持状態を説明する図である。
【図１７】（Ａ）はパネルの上方部位を示す部分縦断面図、（Ｂ）は吊持部材の正面図（プレートの長手方向を正面とした図）、（Ｃ）は吊持部材の斜視図である。
【図１８】（Ａ）は防煙垂れ壁の端部（端部縦枠を含む部位）の上方部位の平面図、（Ｂ）は防煙垂れ壁の端部（端部縦枠を含む部位）の下方部位の底面図である。
【図１９】（Ａ）は防煙垂れ壁の中間部（中間縦枠を含む部位）の上方部位の平面図、（Ｂ）は防煙垂れ壁の中間部（中間縦枠を含む部位）の下方部位の底面図である。
【図２０】（Ａ）は防煙垂れ壁の下方部位の縦断面図（螺子Ｓ４を装着する前）、（Ｂ）は防煙垂れ壁の下方部位の縦断面図（螺子Ｓ４が装着された状態）である。
【発明を実施するための形態】
【００１５】
［Ａ］防煙垂れ壁の基本構成
図１に示すように、防煙垂れ壁は天井Ｃに設置される横長方形状の枠体１と、枠体１に形成された開口部を塞ぐように設けてなる透明のシート１０と、を備えている。枠体１は、天井に取り付けられる上枠（上レール）２と、方形状の枠体１の左右の端部を構成する左右の端部縦枠（端部方立）３と、左右の端部縦枠３間に幅方向に間隔を存して設けられる中間縦枠（中間方立）４と、端部縦枠３、中間縦枠４間に亘って設けられる下枠（下カバー）５と、から形成されている。枠体１は例えばアルミ型材から形成されている。
【００１６】
図１に示す態様では、上枠２と端部縦枠３と中間縦枠４と下枠５から囲まれた開口部が左右に２つ形成され、上枠２と中間縦枠４、４と下枠５から囲まれた開口部が中間に２つ並んで形成され、合計４つの開口部が形成されている。同様に、図２に示す態様では、枠体１に３つの開口部が形成されている。本発明において、枠体１に形成される開口部の数は限定されず、４つ以上でもよく、あるいは、１つ（すなわち、中間縦枠を有しない）の場合も含まれる。
【００１７】
防煙垂れ壁において、枠体１の各開口部には当該開口部を塞ぐようにシート１０が位置している。シート１０は、枠体１とは別体の方形のパネル６の構成要素であり、各パネル６を枠体１に組み込むことで、各パネル６のシート１０が枠体１の各開口部を塞ぐようになっている。
【００１８】
図４に示すように、パネル６は上枠７と、左右の縦枠８と、下枠９とからなる四周枠を備え、上枠７、左右の縦枠８、下枠９に囲まれた空間を塞ぐようにシート１０が設けてある。図５に示すように、四周枠は、一方の見付面（第１見付面７２、８２、９２）において、上枠７、左右の縦枠８、下枠９の長さ方向端部同士を連結要素１２によって連結することで形成されており、シート１０の周縁部位は、四周枠の他方の見付面（第２見付面７３、８３、９３）に固定されている。四周枠は例えばアルミ型材から形成されている。連結要素１２は例えばステンレスから形成されている。パネル６の詳細な構成の説明は後述する。
【００１９】
図１、図２等に示すように、パネル６が枠体１に組み込まれた状態では、パネル６の上枠７、左右の縦枠８、下枠９は、枠体１の上枠２、端部縦枠３ないし中間縦枠４、下枠５の見付面内に位置して隠れており、外部からはシート１０のみが見えるようになっており、防煙垂れ壁の外観がスッキリしたものとなっている。
【００２０】
［Ｂ］防煙垂れ壁の枠体の構成部材
［Ｂ−１］防煙垂れ壁の枠体の上枠（上レール）
枠体１の上枠２は、天井面に沿って水平状に延びる長尺部材であり、図７に示すように、水平状の第１部分２０と、第１部分２０の側縁から対向状に垂下する第２部分２１、第３部分２２と、から断面視略コ字状に形成されている。第１部分２０は枠体１の上面を形成しており、第２部分２１、第３部分２２は枠体１の見付面を形成している。
【００２１】
上枠２の第２部分２１、第３部分２２の下端は互いに接近するように垂直に折り曲げて下側水平片２１０、２２０が形成されている。下側水平片２１０、２２０間に上枠２の長さ方向に延びる開口が形成されており、下側水平片２１０の先端と下側水平片２２０の先端間の距離（開口部の幅寸法）はＤ１となっている。
【００２２】
上枠２の第２部分２１、第３部分２２の対向する内面には、下側水平片２１０、２２０の上側に位置して（図示の態様では、上枠２の高さ方向の中央よりも上側に位置して）、第１中間水平片２３、２４が突成されている。第１中間水平片２３、２４間に上枠２の長さ方向に延びる開口が形成されており、第１中間水平片２３の先端と第１中間水平片２４の先端間の距離（開口部の幅寸法）はＤ２となっている。
【００２３】
上枠２の第２部分２１、第３部分２２の対向する内面には、第１中間水平片２３、２４の上方に所定の間隔を存して第２中間水平片２５、２６が突成されている。第２中間水平片２５、２６間に上枠２の長さ方向に延びる開口が形成されており、第２中間水平片２５の先端と第２中間水平片２６の先端間の距離（開口部の幅寸法）はＤ３となっている。
【００２４】
図示の態様では、下側水平片２１０の先端、第１中間水平片２３の先端、第２中間水平片２５の先端は同じ垂直線上に位置しており、下側水平片２２０の先端、第１中間水平片２４の先端、第２中間水平片２６の先端は同じ垂直線上に位置しており、上記距離Ｄ１〜Ｄ３は同じである。下側水平片２１０の先端と下側水平片２２０の先端間の距離Ｄ１、第１中間水平片２３の先端と第１中間水平片２４の先端間の距離Ｄ２、第２中間水平片２５の先端と第２中間水平片２６の先端間の距離Ｄ３は同じであり、一対の下側水平片２１０、２２０間に形成された開口、一対の第１中間水平片２３、２４間に形成された開口、一対の第２中間水平片２５、２６間に形成された開口は、平面視において一致している。
【００２５】
図１３に示すように、一対の下側水平片２１０、２２０間に形成された開口、一対の第１中間水平片２３、２４間に形成された開口、一対の第２中間水平片２５、２６間に形成された開口には、枠体１の端部縦枠３、中間縦枠４の上方部位が上枠２の長さ方向にスライド可能に受け入れられており、よって、これらの開口幅寸法、すなわち、距離Ｄ１〜Ｄ３は、端部縦枠３、中間縦枠４の見込寸法Ｄ４、Ｄ６（図８、図９参照）よりも大きい。なお、平面視における開口領域（すなわち、平面視において３つの開口が重複する領域）が見込寸法Ｄ４、Ｄ６よりも大きければ、距離Ｄ１〜Ｄ３は必ずしも同一でなくてもよい。
【００２６】
図１５に示すように、一対の下側水平片２１０、２２０間に形成された開口、一対の第１中間水平片２３、２４間に形成された開口には、パネル６の上方部位が下方から受け入れられる。パネル６の厚さ寸法（後述する連結要素１２の厚さを含む）は端部縦枠３、中間縦枠４の見込寸法よりも小さいので、距離Ｄ１〜Ｄ３＞端部縦枠３、中間縦枠４の見込寸法を満たしていればよい。
【００２７】
距離Ｄ１〜Ｄ３は、後述する吊持部材１１のプレート１１１（図１７参照）の短手寸法Ｌ２よりも大きく、長手寸法Ｌ１よりも小さい。第２中間水平片２５、２６の水平状の上面２５１、２６１が吊持部材１１のプレート（掛止部）１１１の載置面（被掛止部）となっている。なお、第１中間水平片２３、２４の上面２３０、２４０をプレート１１１の載置面とすることも可能であるが、吊持部材１１のプレート１１１の回転による掛止の作業性を考慮すると、第１中間水平片２３、２４と第２中間水平片２５、２６の間の狭い空間にプレート１１１を位置させて回転させるよりは、プレート１１１を第２中間水平片２５、２６の水平状の上面２５１、２６１の上方で回転させて掛止させることが好ましい。
【００２８】
第１中間水平片２３と第１中間水平片２４は同じ高さ位置にあり、第２中間水平片２５と第２中間水平片２６は同じ高さ位置にある。すなわち、第１中間水平片２３の上面２３０と第１中間水平片２４の上面２４０は同じ高さ位置にあり、第２中間水平片２５の下面２５０と第２中間水平片２６の下面２６０は同じ高さ位置にあり、第２中間水平片２５の上面２５１と第２中間水平片２６の上面２６１は同じ高さ位置にある。
【００２９】
第１中間水平片２３と第２中間水平片２５の間の空間（より具体的には、第１中間水平片２３の上面２３０と第２中間水平片２５の下面２５０の間の空間）、及び、第１中間水平片２４と第２中間水平片２６の間の空間（より具体的には、第１中間水平片２４の上面２４０と第２中間水平片２６の下面２６０の間の空間）がそれぞれ、後述する端部縦枠３の上端部位のコロ３３、中間縦枠４の上端部位のコロ４３を上枠２の長さ方向に案内するためのガイドレールＧとなっている（図１３、図１４参照）。第２中間水平片２５、２６は、１つの要素でありながら、吊持部材１１のプレート（掛止部）１１１の載置面（被掛止部）及びガイドレールＧの上側面を兼用している。
【００３０】
上枠２の第１部分２０には、長さ方向に間隔を存して複数の孔２００が形成されており、一対の下側水平片２１０、２２０間に形成された開口、一対の第１中間水平片２３、２４間に形成された開口、一対の第２中間水平片２５、２６間に形成された開口を通して、下方から差し入れた螺子２０１によって上枠２を天井面Ｃに固定するようになっている。上枠２の第２部分２１、第３部分２２の長さ方向両端部には、螺子Ｓ１（図２、図３参照）を受け入れるための孔２１１、２２１が形成されている。
【００３１】
［Ｂ−２］防煙垂れ壁の枠体の端部縦枠（端部方立）
枠体１の端部縦枠３は、高さ方向に垂直に延びる長尺部材であり、図８に示すように、枠体１の見込方向に延びる垂直状の第１部分３０と、第１部分３０の側縁から対向状に見付方向に延びる垂直状の第２部分３１、第３部分３２から断面視略コ字状に形成されている。第１部分３０は枠体１の側面を形成しており、第２部分３１、第３部分３２は枠体１の見付面を形成している。
【００３２】
端部縦枠３の見込寸法Ｄ４は、上枠２の距離Ｄ１〜Ｄ３よりも小さい寸法となっており、端部縦枠３の上方部位が上枠２の一対の下側水平片２１０、２２０間に形成された開口、一対の第１中間水平片２３、２４間に形成された開口、一対の第２中間水平片２５、２６間に形成された開口に受け入れられるようになっている。
【００３３】
端部縦枠３の第２部分３１の内面と第３部分３２の内面との距離Ｄ５は、パネル６の厚さ寸法（後述する連結要素１２の厚さを含む）よりも僅かに大きい寸法となっており、第２部分３１と第３部分３２の間の空間に、パネル６の幅方向端部を挿入可能となっている（図１８参照）。
【００３４】
端部縦枠３は、上枠２の長さ方向端部からスライド装着可能であり、上枠２の長さ方向に移動可能に上枠２から吊持される。端部縦枠３の上端部位には、第２部分３１と第３部分３２の間を架け渡すように２本の支持部材が並設されている。支持部材は上枠２のガイドレールＧに沿って移動可能であり、好ましくは円柱状ないし円筒状の要素であり、本実施形態では支持部材は並設された２本のコロ３３である。本実施形態では、コロ３３はステンレス製である。ガイドレールＧの高さ寸法（より具体的には、第１中間水平片２３の上面２３０と第２中間水平片２５の下面２５０間の距離、第１中間水平片２４の上面２４０と第２中間水平片２６の下面２６０間の距離）は、コロ３３の径よりも僅かに大きく、コロ３３の長さ方向一端側が第１中間水平片２３の上面２３０、コロ３３の長さ方向他端側が第１中間水平片２４の上面２４０の上を上枠２の長さ方向に摺動することで、端部縦枠３が上枠２の長さ方向にスライド移動可能となっている。
【００３５】
端部縦枠３の第２部分３１、第３部分３２の長さ方向両端部（すなわち、上下端部）には、螺子Ｓ１、Ｓ２（図２、図３参照）を受け入れるための孔３１０、３１１、３２０、３２１が形成されている。螺子Ｓ１は上枠２と端部縦枠３を連結する止着部材であり、螺子Ｓ２は下枠５と端部縦枠３を連結する止着部材である。端部縦枠３の第１部分３０には、長さ方向（高さ方向）に間隔を存して複数の孔３００が形成されているが、これは、防煙垂れ壁の側部（端部縦枠３の第１部分３０）が壁に位置する時に、端部縦枠３を壁に固定するための螺子（図示せず）を受け入れる孔である。端部縦枠３の第２部分３１及び第３部分３２の上端部位に形成された孔３３０は、コロ３３を取付けるための孔である。
【００３６】
［Ｂ−３］防煙垂れ壁の枠体の中間縦枠（中間方立）
枠体１の中間縦枠４は、高さ方向に垂直に延びる長尺部材であり、図９に示すように、枠体１の見込方向に延びる垂直状の第１部分４０と、対向状に見付方向に延びる垂直状の第２部分４１、第３部分４２から断面視略Ｈ形状に形成されている。第２部分４１、第３部分４２は枠体１の見付面を形成している。
【００３７】
中間縦枠４の見込寸法Ｄ６は、上枠２の距離Ｄ１〜Ｄ３よりも小さい寸法となっており、端部縦枠３の上方部位が上枠２の一対の下側水平片２１０、２２０間に形成された開口、一対の第１中間水平片２３、２４間に形成された開口、一対の第２中間水平片２５、２６間に形成された開口に受け入れられるようになっている。
【００３８】
中間縦枠４の第２部分４１の内面と第３部分４２の内面との距離Ｄ７は、パネル６の厚さ寸法（後述する連結要素１２の厚さを含む）よりも僅かに大きい寸法となっており、第２部分４１と第３部分４２の間に第１部分４０を挟んで両側に形成された２つの空間のそれぞれの空間に、パネル６の幅方向端部を挿入可能となっている（図１９参照）。
【００３９】
中間縦枠４は、上枠２の長さ方向端部からスライド装着可能であり、上枠２の長さ方向に移動可能に上枠２から吊持される。中間縦枠４の上端部位には、第２部分４１と第３部分４２の間を架け渡すように２本の支持部材が並設されている。支持部材は上枠２のガイドレールＧに沿って移動可能であり、好ましくは円柱状ないし円筒状の要素であり、本実施形態では支持部材は並設された２本のコロ４３である。本実施形態では、コロ４３はステンレス製である。ガイドレールＧの高さ寸法（より具体的には、第１中間水平片２３の上面２３０と第２中間水平片２５の下面２５０間の距離、第１中間水平片２４の上面２４０と第２中間水平片２６の下面２６０間の距離）は、コロ４３の径よりも僅かに大きく、コロ４３の長さ方向一端側が第１中間水平片２３の上面２３０、コロ４３の長さ方向他端側が第１中間水平片２４の上面２４０の上を上枠２の長さ方向に摺動することで、中間縦枠４が上枠２の長さ方向にスライド移動可能となっている。中間縦枠４の上方部位は、支持部材として例示するコロ４３を介して上枠２に対して吊持された状態であり、螺子等の止着部材を用いて上枠２に固定されていない。
【００４０】
中間縦枠４の第２部分４１、第３部分４２の下端部位には、螺子Ｓ３（図２、図３参照）を受け入れるための孔４１０、４２０が形成されている。螺子Ｓ３は下枠５と中間縦枠４を連結する止着部材である。中間縦枠４の第２部分４１、第３部分４２の上端部位の孔４３０は、コロ４３を取付けるための孔である。
【００４１】
［Ｂ−４］防煙垂れ壁の枠体の下枠（下カバー）
枠体１の下枠５は、水平状に延びる長尺部材であり、図１０に示すように、水平状の第１部分５０と、第１部分５０から対向状に垂直に立ち上がる第２部分５１、第３部分５２から断面視略コ字状に形成されている。第１部分５０は枠体１の底面を形成しており、第２部分５１、第３部分５２は枠体１の見付面を形成している。下枠５は、各パネル６に対応して設けられており、複数のパネル６が枠体１に組み込まれる場合には、上枠２に比べて短尺である。
【００４２】
下枠５の第２部分５１の内面と第３部分５２の内面との距離Ｄ８は、端部縦枠３、中間縦枠４の見込寸法Ｄ４、Ｄ６（図８、図９参照）よりも僅かに大きい寸法となっており（したがって、連結要素１２の厚さを含むパネル６の厚さ寸法よりも大きい）、端部縦枠３、中間縦枠４の下方部位、及び、パネル６の下方部位を第２部分５１と第３部分５２で挟み込むように、下方から、端部縦枠３、中間縦枠４の下方部位、パネル６の下方部位に被せるように設けられる（図２０参照）。
【００４３】
下枠５の第２部分５１には、長さ方向端部において（端部縦枠３、中間縦枠４に位置して）、螺子Ｓ２、Ｓ３（図２、図３参照）を受け入れるための孔５１０、５１１が形成されている。螺子Ｓ２は下枠５と端部縦枠３を連結する止着部材であり、螺子Ｓ３は下枠５と中間縦枠４を連結する止着部材である。防煙垂れ壁が中間縦枠を有しない場合には、下枠５の長さ方向両端部は、左右の端部縦枠３の下方部位に被せられて螺子で連結される。下枠５の第１部分５０には、長さ方向中央において、螺子Ｓ４（図２、図３参照）を受け入れるための孔５００が形成されている。螺子Ｓ４は枠体１の下枠５（第１部分５０）とパネル６の下枠９（下面９１）を連結する。
【００４４】
［Ｃ］パネルの構成
［Ｃ−１］パネルの上枠
パネル６の上枠７は水平状に延びる長尺部材であって、図１１に示すように、上面７０、下面７１、左右の側面である第１見付面７２、第２見付面７３から略縦長方形状の断面形状を有する中空部材である。第１見付面７２、第２見付面７３の上端、下端はそれぞれ上面７０、下面７１を越えて延びており、上側延出片７２０、７３０、下側延出片７２１、７３１が形成されている。
【００４５】
上枠７の上面７０、下面７１、第１見付面７２、第２見付面７３の外面には上枠７の長さ方向に水平に延びる複数のＶ溝が形成されている。後述するように、これらのＶ溝の１つあるいは複数は、カッターを用いたシート１０のトリミングの際にガイドとして利用するシートトリム溝ｖとして機能する。
【００４６】
上枠７の長さ方向の所定位置（長さ方向端部から離間した位置）には、上面７０、下面７１をそれぞれ貫設する孔７００、７１０が上下に一致して形成されており、孔７００、７１０を利用して後述する吊持部材１１が設けられる。
【００４７】
［Ｃ−２］パネルの縦枠
パネル６の縦枠８は垂直状に延びる長尺部材であって、図１２に示すように、パネル６の見込方向に延びる第１見込面（外側見込面）８０、第２見込面（内側見込面）８１、パネル６の見付方向に延びる第１見付面８２、第２見付面８３から略方形状の断面形状を有する中空部材である。第１見付面８２、第２見付面８３の端部は、それぞれ第１見込面８０、第２見込面８１を越えて延びており、延出片８２０、８３０、８２１、８３１が形成されている。
【００４８】
縦枠８の第１見込面８０、第２見込面８１、第１見付面８２、第２見付面８３の外面には縦枠８の長さ方向に垂直に延びる複数のＶ溝が形成されている。後述するように、これらのＶ溝の１つあるいは複数は、カッターを用いたシート１０のトリミングの際にガイドとして利用するシートトリム溝ｖとして機能する。
【００４９】
縦枠８の第１見付面８２、第２見付面８３の上下端部には、螺子Ｓ１、Ｓ２（図２、図３参照）を挿通させる挿通孔８２２、８２３が形成されている。螺子Ｓ１は上枠２と端部縦枠３を連結する止着部材であり、螺子Ｓ２は下枠５と端部縦枠３を連結する止着部材である。
【００５０】
［Ｃ−３］パネルの下枠
パネル６の下枠９は水平状に延びる長尺部材であって、図５に示すように、上面９０、下面９１、左右の側面である第１見付面９２、第２見付面９３から略縦長方形状の断面形状を有する中空部材である。側面９２、９３の上端、下端はそれぞれ上面９０、下面９１を越えて延びており、上側延出片９２０、９３０、下側延出片９２１、９３１が形成されている。
【００５１】
下枠９の上面９０、第２下面９１、第１見付面９２、第２見付面９３の外面には下枠９の長さ方向に水平に延びる複数のＶ溝が形成されている。後述するように、これらのＶ溝の１つあるいは複数は、カッターを用いたシート１０のトリミングの際にガイドとして利用するシートトリム溝ｖとして機能する。
【００５２】
［Ｃ−４］パネルの組立て
パネル６は、上枠７、下枠９の長さ方向端部に左右の縦枠８の第２見込面（内側見込面）８１を越えて延びる延出片８２１、８３１の端縁の上端部位、下端部位を当接させて四周枠状とした状態で、四周枠の一方の見付面（第１見付面７２、８２、９２）において、上枠７、縦枠８、下枠９の端部同士を４つの連結要素１２を用いて互いに連結することで組み立てられる。
【００５３】
図４、図６に示すように、連結要素１２は、第１部分１２０と第２部分１２１とからＬ字状に形成された板状部材であり、第１部分１２０、第２部分１２１にはそれぞれ２つの螺子用孔１２２が形成されており、角部には逃げ孔としての挿通孔１２３が形成されている。
【００５４】
各連結要素１２の第１部分１２０を上枠７の第１見付面７２の長さ方向端部、下枠９の第１見付面９２の長さ方向端部にそれぞれ当接させ、第２部分１２１を左右の縦枠８の第１見付面８２の上方部位、下方部位にそれぞれ当接させて、螺子用孔１２２から挿入した螺子１２４で連結要素１２と上枠７、縦枠８、下枠９をそれぞれ固定することでパネル６が組み立てられる。
【００５５】
パネル６を枠体１に組み入れた状態で、連結要素１２に形成された挿通孔１２３の位置は、縦枠８の第１見付面８２、第２見付面８３に形成された挿通孔８２２、８３２、８２３、８３３、上枠２の孔２１１、２２１、端部縦枠３の孔３１０、３２０、３１１、３２１、下枠５の孔５１０の位置と一致している。したがって、パネル６の組立て時に、連結要素の挿通孔１２３、縦枠８の挿通孔８２２、８２３を、位置合わせ孔として利用することができる。
【００５６】
パネル６が方形状に組み立てられた状態で、パネル６の他方の見付面（連結要素１２が位置する側と反対側）、すなわち、上枠７の第２見付面７３、縦枠８の第２見付面８３、下枠９の第２見付面９３にシート１０の四周縁部位が貼着される。シート１０は、例えば、これらの第２見付面７３、８３、９３に接着剤や両面テープによって接着されるが、シート１０の固定手段は限定されない。シート１０は可撓性を備えているため、皺や撓みが無いようにテンションをかけて張った状態で四周枠の見付面に固定される。
【００５７】
シート１０の材質は限定されないが、好ましくは不燃性シートであり、例えば、グラスファイバ製シートである。シート１０は好ましくは、透明ないし半透明であるが、不透明であってもよい。
【００５８】
パネル６の四周枠にシート１０を貼り付ける時には、シート１０にテンションをかけて張りながら作業するために、シート１０の周縁には掴み代が必要となり、シート１０の面積は四周枠より多少大きくなり得る。シート１０を貼り終えた後、はみ出した部分をトリミングすることになるが、この時、上枠７、縦枠９、下枠９の長さ方向（水平方向ないし垂直方向）に延びるシートトリム溝ｖに沿ってカッターの刃先をガイドすることで、トリミング作業を容易に行うことができる。
【００５９】
［Ｃ−５］吊持部材
パネル６の上枠７には、上枠７の長さ方向端部から離間した位置に互いに間隔を存して複数の吊持部材１１が設けてある。図４、図６に示すように、吊持部材１１は、上枠７の端部から離間した中間部位に設けてあり、図示の態様では、パネル６の幅方向（上枠７の長さ方向）の中央に対して左右対称の位置に２つの吊持部材１１が設けてある。上枠７の長さ方向の所定位置（長さ方向端部から離間した位置）には、上面７０、下面７１をそれぞれ貫設する孔７００、７１０が上下に一致して形成されており、吊持部材１１の軸部１１０が孔７００、７１０を貫通して上下に延びている。
【００６０】
図１７に示すように、吊持部材１１は、垂直状の軸部１１０と、軸部１１０の上端に設けた略長方形状のプレート（掛止部）１１１と、軸部１１０の下端に設けた頭部（回転操作部）１１２と、からなる。頭部１１２は軸部１１０及び下面７１に形成された孔７１０よりも大径である。図示の態様では、軸部１１０の上半部は下半部に対してやや大径となっているが、高さ方向全体に亘って同径であってもよい。
【００６１】
頭部１１２の下面には、ドライバの先端の嵌合溝（プラス溝等）が形成されており、頭部１１２に下方から嵌合させたドライバによって軸部１１０を回転させることで、プレート１１１を含む吊持部材１１が一体で回転可能となっている。すなわち、頭部１１２は吊持部材１１の回転操作部として機能する。
【００６２】
吊持部材１１のプレート１１１は、平面視長方形であり、長手寸法Ｌ１、短手寸法Ｌ２を備えている。長手寸法Ｌ１は、距離Ｄ１〜Ｄ３（図７参照）よりも大きく、短手寸法Ｌ２は、距離Ｄ１〜Ｄ３（図７参照）よりも小さい。よって、吊持部材１１のプレート１１１の長手方向を見付方向とした姿勢とすることで、プレート１１１は、一対の下側水平片２１０、２２０間に形成された開口、一対の第１中間水平片２３、２４間に形成された開口、一対の第２中間水平片２５、２６間に形成された開口に下方から挿通させることができ、プレート１１１が一対の第２中間水平片２５、２６間に形成された開口の上方まで差し入れた状態（この時、吊持部材１１の頭部１１２の上面がパネル６の上枠７の下面７１に当接する）で、軸部１１０を回転させてプレート１１１の長手方向を見込方向とすることで、プレート１１１の長さ方向の端部が、一対の第２中間水平片２５、２６の水平状の上面２５１、２６１に載置するようになっている。このようにパネル６は吊持部材１１のプレート１１１が一対の第２中間水平片２５、２６の水平状の上面（被掛止部）２５１、２６１に掛止されることで上枠２に対して吊持されるようになっており、プレート１１１は掛止部として機能する。プレート１１１の形状は長方形に限定されるものではなく、平面視における任意の異方向の寸法が長手寸法Ｌ１、短手寸法Ｌ２を備えるような形状であればよい。
【００６３】
図１５、図１６に示すように、軸部１１０の長さ寸法（高さ寸法）は、プレート１１１の下面が第２中間水平片２５、２６の上面２５１、２６１に載置した状態で、頭部１１２の上面がパネル６の上枠７の下面７１に下方から当接ないし近接するような寸法となっている。図１５、図１６に示す状態において、吊持部材１１は、頭部１１２からの回転操作によって回転可能となっている。
【００６４】
図示の態様では、軸部１１０とプレート１１１は着脱可能となっている。具体的には、プレート１１１の中心には螺子孔が形成されており、軸部１１０の上端部の螺子と螺着され、ナット１１３で固定されている。軸部１１０とプレート１１１を着脱可能とすることで、軸部１１０を下方から孔７１０、７００に差し入れ、上枠７の上面７０より上方に突出する軸部１１０の上端部にプレート１１１を連結することができ、こうすることで、吊持部材１１の上枠７への取付作業を容易に行うことができる。あるいは、軸部１１０とプレート１１１は溶接等で一体形成する一方、軸部１１０に対して頭部１１２を着脱可能としてもよい。あるいは、軸部１１０を上半部と下半部から着脱可能に構成してもよい。あるいは、吊持部材１１が回転可能であれば回転操作部としての頭部１１２の具体的な構成は図示のものに限定されない。
【００６５】
［Ｃ−６］パネルの全体構成
上述のように、パネル６は、上枠７、左右の縦枠８、下枠９から形成された四周枠と、四周枠の一方の見付面（上枠７の第２見付面７３、縦枠８の第２見付面８３、下枠９の第２見付面９３）に固定したシート１０と、からなる。四周枠は、他方の見付面（上枠７の第１見付面７２、縦枠８の第１見付面８２、下枠９の第１見付面９２）において、上枠７の長さ方向端部と左右の縦枠８の上端部、下枠９の長さ方向端部と左右の縦枠８の下端部をそれぞれ連結要素１２によって連結することで組み立てられる。四周枠の少なくともシート１０が固定される見付面（上枠７の第２見付面７３、縦枠８の第２見付面８３、下枠９の第２見付面９３）には、上枠７及び下枠９の長さ方向（水平方向）、縦枠８の長さ方向（垂直方向）に延びる少なくとも１つのシートトリム溝ｖが形成されている。
【００６６】
パネル６の上枠７の長さ方向端部を除く中途部位には、長さ方向に間隔を存して複数の吊持部材１１が設けてあり、吊持部材１１は、垂直方向に延びる軸部１１０と、軸部１１０の上側に設けたプレート（掛止部）１１１と、軸部１１０の下側に設けた頭部（回転操作部）１１２と、を備えている。軸部１１０の上端は上枠７の上方に突出しており、掛止部（プレート１１１）は上枠７の上方に位置しており、防煙垂れ壁の枠体１の上枠２に掛止可能となっている。パネル６は、掛止部（プレート１１１）を枠体１の上枠２の一対の第２中間水平片２５、２６の上面（被掛止部）２５１、２６１に掛止させることで、上枠２から吊持される。
【００６７】
吊持部材１１は、頭部（回転操作部）１１２により、プレート（掛止部）１１１の掛止姿勢と非掛止姿勢との間で回転可能である。枠体１の上枠２に掛止され吊持されるパネル６は、上枠２に対して上下方向（垂直方向）に着脱可能となっている。パネル６が枠体１に組み込まれた状態では、頭部（回転操作部）１１２は枠体１の上枠２内において、パネル６の上枠７の直下に位置している。回転操作部（頭部１１２）が枠体１の上枠２内に位置することで、頭部（回転操作部）１１２が外部に露出しないので意匠上良好である。また、シート１０はパネル６の四周枠の一方の見付面に貼り付けてあるので、他方の見付面側から頭部（回転操作部）１１２を介して吊持部材１１を回転操作することが可能である。
【００６８】
［Ｄ］防煙垂れ壁の設置・メンテナンス
防煙垂れ壁の設置手順について、図２、図３に示すように３つのパネル６が組み込まれた防煙垂れ壁に基づいて説明する。
【００６９】
［Ｄ−１］枠体の上枠に対する端部縦枠、中間縦枠の取り付け
枠体１を構成する上枠２に対して、上枠２の一方あるいは両方の端部から端部縦枠３のコロ３３、中間縦枠４のコロ４３を上枠２のガイドレールＧにスライド挿入させ、上枠２から端部縦枠３、中間縦枠４、４、端部縦枠３を吊持させた状態で、上枠２を天井面Ｃの所定部位に螺子２０１で取り付ける。なお、防煙垂れ壁の一方あるいは両方の側部に壁が無い場合には、上枠２を先に天井面Ｃに固定した後で、端部縦枠３のコロ３３、中間縦枠４のコロ４３を上枠２の長さ方向端部からガイドレールＧにスライド挿入して吊持させてもよい。
【００７０】
上枠２から吊持された端部縦枠３、中間縦枠４は、上方部位が上枠２内に位置した状態で、コロ３４、４４がガイドレールＧ内を摺動することで、上枠２の長さ方向にスライド移動可能であり、端部縦枠３を上枠２の左右の端部に位置させ、中間縦枠４を上枠２の長さ方向中間部位の所定の位置まで移動させる。例えば、上枠２の長さ方向両端部に壁が位置する場合には、端部縦枠３を、第１部分３０が壁面に当接するように位置させ、必要に応じて螺子（図示せず）で壁面に固定する。
【００７１】
この時点で、中間縦枠４を正確に所定位置までスライド移動させる必要は必ずしもない。端部縦枠３の第２部分３１の内面と第３部分３２の内面との距離Ｄ５、中間縦枠４の第２部分４１の内面と第３部分４２の内面との距離Ｄ７は、いずれもパネル６の厚さ寸法（連結要素１２の厚さを含む）よりも大きく、パネル６の幅方向端部は、下方からでも側方からでも、端部縦枠３の第２部分３１と第３部分３２の間の空間、中間縦枠４の第２部分４１と第３部分４２の間の空間に挿入可能である。したがって、先に中間縦枠４を所定位置に正確に位置させてからパネル６を下方から組み込むこともでき、また、先にパネル６を所定位置に正確に位置させてから中間縦枠４をパネル６の幅方向端部に対して側方からスライド装着させてもよい。
【００７２】
［Ｄ−２］パネルの組み込み
上枠２に対して下方からパネル６を組み込む。具体的には、パネル６の上枠７に設けた吊持部材１１のプレート１１１の長手方向をパネル６の見付方向とした非掛止姿勢で、パネル６の上方部位を、上枠２の下方から挿入させる。より具体的には、垂直姿勢の状態でパネル６の上方部位を、一対の下側水平片２１０、２２０間に形成された開口、一対の第１中間水平片２３、２４間に形成された開口、一対の第２中間水平片２５、２６間に形成された開口に下方から上方に向かって垂直に挿通させ、プレート１１１を一対の第２中間水平片２５、２６間に形成された開口の上方まで差し入れた状態（この時、吊持部材１１の頭部１１２の上面がパネル６の上枠７の下面７１に当接する）で、頭部１１２の溝に嵌合させたドライバを回転させることで、軸部１１０を回転させてプレート１１１の長手方向を見込方向とした掛止姿勢とすることで、プレート１１１の長さ方向の端部が、一対の第２中間水平片２５、２６の水平状の上面２５１、２６１に引っ掛けることで、プレート（掛止部）１１１が上面（被掛止部）２５１、２６１に掛止し、パネル６が上枠２から吊持される。パネル６が上枠２から吊持された状態では、パネル６の上枠７は、枠体１の上枠２の内部に位置しており、外部からは見えない。パネル６が枠体１に組み込まれた状態で、吊持部材１１は、下端の頭部（回転操作部）１１２を含み、枠体１の上枠２の内部に位置しており、外部からは見えない。
【００７３】
図２、図３において、上枠２から吊持された両側（左側及び右側）のパネル６の幅方向端部は、一方が端部縦枠３の溝部（第２部分３１と第３部分３２の間の空間）、他方が中間縦枠４の溝部（第２部分４１と第３部分４２の間の空間）に挿入されており、中間のパネル６の幅方向端部は、それぞれ、中間縦枠４の溝部（第２部分４１と第３部分４２の間の空間）に挿入されている（図１８、図１９参照）。パネル６の幅方向端部が、端部縦枠３ないし中間縦枠４の溝部に挿入された状態では、パネル６は、端部縦枠３ないし中間縦枠４の内部に位置しており、外部からは見えない。
【００７４】
端部縦枠３、中間縦枠４は、上枠２から当該上枠２の長さ方向に移動可能に吊持されているので、必要に応じて、端部縦枠３、中間縦枠４を上枠２の長さ方向の所定位置に移動させることができ、作業性が良い。なお、パネル６の幅方向端部は、下方から端部縦枠３、中間縦枠４の溝部に挿入することも、あるいは、上枠２から吊持されたパネル６の幅方向端部に側方から中間縦枠４をスライドさせて中間縦枠４の溝部に被せることも可能であり、パネル６よりも先に中間縦枠４を位置決めしてパネル６を下方から組み込んでもよく（例えば、図２、図３において、２本の中間縦枠４を位置決めした後に、３枚のパネル６をそれぞれ下方から上枠２に掛止する）、あるいは、上枠２から吊持したパネル６を位置決めした後に中間縦枠４をパネル６に対して移動させてもよい（例えば、図２、図３において、左側のパネル６の掛止→一方の中間縦枠４のスライド移動→中央のパネル６の掛止→他方の中間縦枠４のスライド移動→右側のパネル６の掛止）。
【００７５】
上枠２から吊持された各パネル６の幅方向両端部が端部縦枠３ないし中間縦枠４に挿入された状態で、各パネル６の下方部位に、下枠５が被せられる。この時、下枠５の長さ方向端部は、縦枠（端部縦枠３、中間縦枠４）の下端部位に外嵌する（図２０参照）。この状態で、下枠５の第１部分５０とパネル６の下枠９の下面９１は離間している。
【００７６】
枠体１に対してパネル６が組み込まれた状態で、上枠２の長さ方向端部と端部縦枠３の上端部が螺子Ｓ１によって連結される。螺子Ｓ１はパネル６の縦枠８の上方部位の孔８２２、８３２及び連結要素１２の挿通孔１２３を挿通する。
【００７７】
中間縦枠４の上端部位はコロ４３によって上枠３から吊持されており、上枠２と中間縦枠４の上端部位は螺子によって連結されていない。したがって、防煙垂れ壁の見付面に露出する螺子の数を削減することができ、意匠上も良好である。また、防煙垂れ壁の設置作業は高所作業となるため、螺子の取付作業を削減することは、施工性の向上につながり、また、螺子の取り外し作業を削減することは、メンテナンス性の向上につながる。
【００７８】
下枠５の長さ方向端部と端部縦枠３の下端部が螺子Ｓ２によって連結され、下枠５の長さ方向端部と中間縦枠４の下端部が螺子Ｓ３によって連結される。図２、図３に示す態様では、両側の下枠５の長さ方向一端部と端部縦枠３の下端部が螺子Ｓ２によって連結され、下枠５の長さ方向他端部と中間端部４の下端部が螺子Ｓ３によって連結される。中間の下枠５の長さ方向両端部と中間縦枠４の下端部が螺子Ｓ３によって連結されている。隣接する下枠５の端部同士は中間縦枠４の下端部位において当接ないし近接している。螺子Ｓ２、Ｓ３はパネル６の縦枠８の下方部位の孔８２３、８３３及び連結要素１２の挿通孔１２３を挿通する。
【００７９】
［Ｄ−３］シートの張り調整機構
パネル６の組立て時に、シート１０にテンションをかけて四周枠に貼り付けるが、防煙垂れ壁の設置後に、シート１０が上下方向に撓んでしまう場合がある。本実施形態では、シートの張り調整機構を設けることで、防煙垂れ壁の設置後にシート１０に撓みが発生した場合に、これを解消するようにしている。シートの張り調整機構は、下枠５の下方から螺子（ビス）を打ち込んで、螺子の雄螺子をパネル下枠の下面の螺子用孔に螺合させ、螺子の回転によって、パネル下枠を下方に引き込むことで、四周枠に貼り付けたシート１０のテンション調整を行う。以下、より具体的に説明する。
【００８０】
各下枠５の第１部分５０と各パネル６の下枠９の下面９１を、パネル６の幅方向中央部位（下枠５の長さ方向中央部）において、下枠５の下方から螺子Ｓ４を装着することで連結する。下枠５の第１部分５０とパネル６の下枠９の下面９１は離間しており、パネル６の下枠９の下面９１には螺子孔が形成されている。パネル６の上方部位は、吊持部材１１のプレート１１１が第２中間水平片２５の上面２５１と第２中間水平片２６の上面２６１に当接し、上枠７の下面７１が吊持部材１１の頭部１１２の上面に当接することで、パネル６に下方に作用する力に対抗する。下枠５は各パネル６毎に設けられ、下枠５の長さ方向端部は、螺子Ｓ２ないしＳ３によって、端部縦枠３ないし中間縦枠４の下方部位に連結されている。したがって、螺子Ｓ４を回転させることで、パネル６の下枠９の下面９１が下枠５の第１部分５０に引き付けられるように下方に引っ張られる。これによって、パネル６の下枠９の長さ方向中央部位が下方に撓むことでシート１０が下方に張られ、これによって、シート１０を上下方向に張られ、シート１０に生じた撓みを解消することができる。
【００８１】
下枠９の長さ方向中央部位（パネル６の幅方向中央部位）を下方に引っ張る時に、パネル６の幅方向両端に位置する縦枠（端部縦枠３ないし中間縦枠４）に、これらが倒れるような回転モーメントが作用し得るが、端部縦枠３、中間縦枠４は、それぞれ、並行する２本の支持部材であるコロ３３、４３を介して支持されているので、この２つの支持部材が端部縦枠３、中間縦枠４の上方部位に作用し得る回転モーメントに対抗することができ、シートの張り調整を良好に行うことができる。
【００８２】
この時、端部縦枠３のコロ３３、中間縦枠４のコロ４３は、第１中間水平片２３の上面２３０と第２中間水平片２５の下面２５０の間の空間、及び、第１中間水平片２４の上面２４０と第２中間水平片２６の下面２６０の間の空間からなるガイドレールＧに案内されるので、コロ３３、４３は上下においてガイドレールＧ内で拘束されており、端部縦枠３、中間縦枠４が倒れようとする時には、一対の平行状のコロ３３のいずれか一方、一対の平行状のコロ４３のいずれか一方が、第２中間水平片２５の下面２５０、第２中間水平片２６の下面２６０に当接することで、端部縦枠３、中間縦枠４の垂直姿勢が維持される。
【００８３】
［Ｄ−４］パネルの交換、メンテナンス
パネル６を交換したり、パネル６の構成要素の一部を交換したりする場合には、設置された防煙垂れ壁からパネル６を取り外す必要がある。本実施形態では、防煙垂れ壁を設置したままで、所望のパネル６のみを取り外すことが可能となっている。例えば、図２、図３において、左側のパネル６を取り外したい場合には、上枠２の長さ方向左端部の螺子１、左側の下枠５の長さ方向左端部の螺子Ｓ２、左側の下枠５の長さ方向右端部の螺子Ｓ３を取り外し、左側の下枠５を取り外した状態で（螺子Ｓ４を備えている場合には、螺子Ｓ４も取り外す）、左側のパネル６の吊持部材１１を９０度回転させて、吊持部材１１のプレート１１１の長手方向をパネル６の見付方向とすることで、左側のパネル６を下方に引き抜くことができる。右側のパネル６も同様に取り外すことができる。
【００８４】
例えば、図２、図３において、中央のパネル６を取り外したい場合には、中央の下枠５の長さ方向両端部の螺子Ｓ３、Ｓ３を取り外し、中央の下枠５を取り外した状態で（螺子Ｓ４を備えている場合には、螺子Ｓ４も取り外す）、中央のパネル６の吊持部材１１を９０度回転させて、吊持部材１１のプレート１１１の長手方向をパネル６の見付方向とすることで、中央のパネル６を下方に引き抜くことができる。
【００８５】
このように、パネル６は下方から上方に向かって枠体１に組み込むため、端部縦枠３、中間縦枠４を上枠２から吊持した状態で、交換したいパネル６のみを簡単に取り外すことができる。交換したパネル６ないし修理したパネル６を組み込む場合には、逆の手順を踏めばよい。具体的には、パネル６を下方から上枠２内に挿入し、吊持部材１１（プレート１１１の長手方向がパネル６の見付方向である）をドライバで回転させて、プレート１１１の長手方向をパネル６の見込方向として、プレート（掛止部）１１１を上枠２の一対の第２中間水平片２５、２６の上面（被掛止部）２５１、２６１に引っ掛ける。そして、パネル６の下方部位に下枠５を被せて、螺子Ｓ２、Ｓ３（側方のパネル６の場合）ないし螺子Ｓ３、Ｓ３（中央のパネル６の場合）を用いて止着すればよい。
【符号の説明】
【００８６】
１  枠体
２  上枠
２３、２４  第１中間水平片
２５、２６  第２中間水平片
２５１、２６１  上面（被掛止部）
３  端部縦枠
４  中間縦枠
５  下枠
６  パネル
７  上枠
８  縦枠
９  下枠
１０  シート
１１  吊持部材
１１０  軸部
１１１  プレート（掛止部）
１１２  頭部（回転操作部）
１２  連結要素
Ｇ  ガイドレール
Ｓ１〜Ｓ４  螺子
【図１】
2019005295.tif 000003
【図２】
2019005295.tif 000004
【図３】
2019005295.tif 000005
【図４】
2019005295.tif 000006
【図５】
2019005295.tif 000007
【図６】
2019005295.tif 000008
【図７】
2019005295.tif 000009
【図８】
2019005295.tif 000010
【図９】
2019005295.tif 000011
【図１０】
2019005295.tif 000012
【図１１】
2019005295.tif 000013
【図１２】
2019005295.tif 000014
【図１３】
2019005295.tif 000015
【図１４】
2019005295.tif 000016
【図１５】
2019005295.tif 000017
【図１６】
2019005295.tif 000018
【図１７】
2019005295.tif 000019
【図１８】
2019005295.tif 000020
【図１９】
2019005295.tif 000021
【図２０】
2019005295.tif 000022